(57)【要約】【課題】  廃棄物ガス化処理システムにおいて、改質炉を大型化せずに、システム全体として改質ガスのタール濃度を下げることを課題とする。【解決手段】  廃棄物を熱分解するガス化炉５と、熱分解ガスに酸化剤を注入してタールを含む熱分解ガスを改質して改質ガスを生成する改質炉１３と、改質ガスの熱を回収する熱回収ボイラ１７と、前記熱回収ボイラ１７から排出される改質ガスの粉塵を捕集するバグフィルタ２３を有する廃棄物ガス化処理システムにおいて、前記熱回収ボイラ１７で捕集された粉塵と前記バグフィルタ２３で捕集した粉塵の少なくとも一方をガス化炉５に供給する供給手段を有し、ガス化炉５に供給した粉塵にタールを吸着させることより、改質炉１３に供給される熱分解ガスのタール濃度を下げることを特徴とする。【選択図】  図１
2009240888.tif 000002
【特許請求の範囲】
【請求項１】
廃棄物を熱分解してタールを含む熱分解ガスと熱分解残渣を発生させるガス化炉と、該ガス化炉から排出される前記熱分解ガスに酸化剤を注入して前記熱分解ガスを改質して改質ガスを生成する改質炉と、該改質炉から排出される前記改質ガスの熱を回収する熱回収手段と、該熱回収手段から排出される前記改質ガスに含まれる粉塵を捕集する集塵手段とを有する廃棄物ガス化処理システムにおいて、
前記熱回収手段で捕集される粉塵を前記ガス化炉に供給する供給手段と、前記集塵手段で捕集した粉塵を前記ガス化炉に供給する供給手段の少なくとも一方を有することを特徴とする廃棄物ガス化処理システム。
【請求項２】
さらに、前記改質炉に水蒸気を注入して前記熱分解ガス中の炭素を水性ガスに変換することを特徴とする請求項１に記載の廃棄物ガス化処理システム。
【請求項３】
前記熱分解残渣から熱分解カーボンを分別する分別手段と、
前記熱分解カーボンを燃焼する燃焼炉と、
該燃焼炉から排出される排ガスを冷却する冷却手段と、
前記冷却手段で捕集される飛灰を前記ガス化炉に供給する供給手段を有することを特徴とする請求項１に記載の廃棄物ガス化処理システム。
【発明の詳細な説明】
【技術分野】
【０００１】
本発明は、廃棄物を熱分解して熱分解ガスを得る廃棄物ガス化処理システムに関する。
【背景技術】
【０００２】
従来、都市ゴミ、木質系バイオマス、カーシュレッダーダスト、あるいは産業廃棄物などの廃棄物を熱分解して得られる熱分解ガスを燃料ガス又は原料ガスとして、例えば、発電などに有効利用することが考えられている。
【０００３】
しかし、熱分解ガスには、種々の不純物が含まれ、そのままでは燃料ガス又は原料ガスとして利用できないことから、熱分解ガスを改質して燃料ガス又は原料ガスを生成する方法が提案されている。特に、熱分解ガスには炭素数が５以上の高分子量の炭化水素（以下、タールと総称する。）が含まれることがあり、タールは凝縮温度が高いことから低温になると液状になる。液状のタールは、配管や装置に付着して種々の問題を引き起こすため、熱分解ガス中のタールの除去等が必要である。
【０００４】
そこで、特許文献１には、廃棄物を熱分解して発生する熱分解ガスを改質炉で部分燃焼させ、この燃焼熱により熱分解ガスに含まれるタールを熱分解させて熱分解ガスを改質する廃棄物ガス化処理システムが記載されている。
【０００５】
【特許文献１】特開２００６−２３１３０１
【発明の開示】
【発明が解決しようとする課題】
【０００６】
しかしながら、特許文献１によれば、熱分解ガス中のタール濃度が高い場合には、多くの熱分解ガスを部分燃焼させる必要があり、熱分解ガスの損失が大きくなる。また、改質炉における熱分解ガスの滞留時間を長くする必要があることから、改質炉が大型となる。
【０００７】
そこで、本発明は、廃棄物ガス化処理システムにおいて、改質炉を大型化せずに、システム全体として改質ガスのタール濃度を下げることを課題とする。
【課題を解決するための手段】
【０００８】
上記の課題を解決するため、本発明の廃棄物ガス化処理システムは、廃棄物を熱分解してタールを含む熱分解ガスと熱分解残渣を発生させるガス化炉と、ガス化炉から排出される熱分解ガスに酸化剤を注入して熱分解ガスを改質して改質ガスを生成する改質炉と、改質炉から排出される改質ガスの熱を回収する熱回収手段と、熱回収手段から排出される改質ガスに含まれる粉塵を捕集する集塵手段とを有する廃棄物ガス化処理システムにおいて、熱回収手段で捕集される粉塵をガス化炉に供給する供給手段と、集塵手段で捕集した粉塵をガス化炉に供給する供給手段の少なくとも一方を有することを特徴とする。
【０００９】
このように、熱回収手段と集塵手段の少なくとも一方からの粉塵をガス化炉に供給し、ガス化炉内で発生したタールを粉塵に吸着させることより、改質炉に供給される熱分解ガス中のタール濃度を下げることができる。その結果、改質炉に供給される熱分解ガスのタール濃度が低いので、改質炉における熱分解ガスの滞留時間を短くでき、改質炉を大型化せずに、システム全体として改質ガスのタール濃度を下げることができる。
【００１０】
この場合において、改質炉に水蒸気を注入して、熱分解ガス中の炭素を水性ガスに変換させることが好ましい。
【００１１】
他方、熱分解残渣から熱分解カーボンを分別し、熱分解カーボンを燃焼させて発生する排ガスを冷却する冷却手段を配置し、冷却手段で捕集された飛灰をガス化炉に供給し、その飛灰にタールを吸着させてもよい。
【発明の効果】
【００１２】
本発明によれば、廃棄物ガス化処理システムにおいて、改質炉を大型化せずに、システム全体として改質ガスのタール濃度を下げることができる。
【発明を実施するための最良の形態】
【００１３】
以下、本発明を実施の形態に基づいて説明する。
（実施形態１）
図１に本発明の実施形態１の廃棄物ガス化処理システムの全体構成を示す。図示のように、本実施形態の廃棄物ガス化処理システムは、廃棄物が投入される乾燥器１と、乾燥した廃棄物が投入されるガス化炉５と、ガス化炉５から排出される熱分解ガスが供給される改質炉１３と、改質炉１３から排出される改質ガスが導入される熱回収手段としての熱回収ボイラ１７と、熱回収ボイラ１７の後流に配置された集塵手段としてのバグフィルタ２３と、バグフィルタ２３から排出される改質ガスを精製するガス精製設備２７と、ガス精製設備２７で精製された改質ガスが供給されるガスエンジン３３を備えている。
【００１４】
乾燥器１は、伝熱管が取り付けられ、適宜熱源により廃棄物中の水分が蒸発する温度、例えば、１５０〜２００℃に廃棄物を加熱するようになっている。
【００１５】
ガス化炉５は、例えば、回転ドラム型の熱分解キルンを用いることができる。ガス化炉５の一端に、廃棄物を投入するスクリューフィーダ４が接続され、スクリューフィーダ４はモーター３により駆動される。ガス化炉５の他端には、排出室７が取り付けられている。排出室７の頂部はガス流路９が接続され、底部は排出管１１が接続されている。ガス化炉５で発生した熱分解ガスは、ガス流路９を介して改質炉１３に導かれ、ガス化炉５で発生した熱分解残渣は、排出管１１を介して熱分解残渣処理設備１２に導かれる。熱分解残渣処理設備１２は、例えば、熱分解残渣から不燃成分を含む熱分解カーボンを分別して、その熱分解カーボンを燃焼させて処理する設備を用いることかできる。
【００１６】
ガス流路９に導かれた熱分解ガスは改質炉１３に供給され、改質炉１３には入口側に、酸化剤（例えば、酸素又は空気）及び水蒸気が供給されるようになっている。改質炉１３から排出される改質ガスは、ガス流路１５を介して熱回収ボイラ１７に導かれている。
【００１７】
熱回収ボイラ１７には、水が通流する伝熱管が取り付けられ、水と熱分解ガスが熱交換するようになっている。熱回収ボイラ１７から排出される改質ガスは、ガス流路２１を介してバグフィルタ２３に導かれている。  
バグフィルタ２３には、例えば、円筒形のろ布が取り付けられ、そのろ布を改質ガスが通過することで、改質ガスに含まれる粉塵を捕集するようになっている。バグフィルタ２３から排出される改質ガスは、ガス流路２５を介してガス精製設備２７に導かれている。
【００１８】
ガス精製設備２７は、例えば、ガス洗浄塔を用いることができ、改質ガスにアルカリ性の水溶液などを散布して、改質ガスに含まれている酸性ガスなどを除去するようになっている。ガス精製設備２７から排出される改質ガスは燃料ガスとして、ガス流路２８に接続している送風機３１を介してガスエンジン３３に供給するようになっている。
【００１９】
ガスエンジン３３には、図示しない発電機が取り付けられ、ガスエンジン３３で燃料ガスを燃焼させて、発電機を駆動するようになっている。なお、本実施形態は、ガスエンジン３３に燃料ガスを供給するようにしているが、ガスエンジン３３と発電機に代えて、ガスタービンに燃料ガスを供給するようにしてもよい。
【００２０】
次に、本実施形態の特徴部に係る構成を説明する。本実施形態は、図示のように、熱回収ボイラ１７の底部には粉塵排出管４５が連結され、バグフィルタ２３の底部には粉塵排出管４７が連結されている。粉塵排出管４５及び４７は、粉塵供給管４９を介してガス化炉５に連結されている。粉塵供給管４９のガス化炉５側の端部には、粉塵をガス化炉５に供給する図示しない定量供給手段が取り付けられている。定量供給手段は、好ましくは、ガス化炉５に廃棄物を投入する入口側から、ガス化炉５内に粉塵を供給できるようになっている。これらの粉塵排出管４５及び４７、粉塵供給管４９、定量供給手段で、ガス化炉５に粉塵を供給する手段が構成されている。
【００２１】
このように構成される本実施形態の廃棄物ガス化処理システムの動作を説明する。廃棄物は、例えば、粉砕機などにより所定の大きさに粉砕された後、乾燥器１に投入されて乾燥される。乾燥器１から排出された廃棄物は、スクリューフィーダ４によりガス化炉５に投入され、ガス化炉５は廃棄物を、例えば、３００℃〜６００℃程度、通常は４５０℃に加熱して熱分解する。この熱分解により発生した熱分解ガスと熱分解残渣は、排出室７に導かれ、熱分解ガスはガス流路９を介して改質炉１３へ供給され、熱分解残渣は排出管１１を介して熱分解残渣処理設備１２に供給される。
【００２２】
改質炉１３は、熱分解ガスを酸化剤で部分燃焼させて、例えば、８００℃に熱分解ガスを加熱することにより、熱分解ガス中に含まれるタールを熱分解して低分子化させ、炭素分は水蒸気と反応させて、一酸化炭素、水素などを含む水性ガスに変換させることにより、熱分解ガスを改質して改質ガスを生成する。
【００２３】
改質炉１３で生成された改質ガスは、熱回収ボイラ１７に導かれ熱回収される。
【００２４】
熱回収ボイラ１７から排出された改質ガスは、バグフィルタ２３に導かれ、改質ガスがろ布を通過することにより、改質ガスに含まれる粉塵が除去される。
【００２５】
バグフィルタ２３を通過した改質ガスは、ガス精製設備２７に導かれて酸性ガスなどが除去された後、燃料ガスとしてガスエンジン３３に供給される。
【００２６】
ガスエンジン３３は、燃料ガスを燃焼させて、図示しない発電機を駆動させて電気エネルギーを発生させる。
【００２７】
次に、本実施形態の特徴作用を説明する。熱回収ボイラ１７で捕集された粉塵は、粉塵排出管４５を介し粉塵供給管４９に導かれ、バグフィルタ２３で捕集した粉塵は、粉塵排出管４７を介して粉塵供給管４９に導かれる。粉塵供給管４９に導かれた粉塵は、例えば、気流搬送によりガス化炉５側に搬送されて定量供給手段に供給される。定量供給手段によりガス化炉５内に供給された粉塵は、ガス化炉５内で発生したタールを吸着して排出室７に導かれる。
【００２８】
排出室７に導かれたタールを吸着した粉塵は、熱分解残渣とともに熱分解残渣処理設備１２に導かれ、例えば、タールを燃焼処理する。タールを吸着した粉塵が熱分解ガスに同伴された場合は、改質炉１３でタールが熱分解される。
【００２９】
本実施形態によれば、熱回収ボイラ１７とバグフィルタ２３の粉塵をガス化炉５に供給し、ガス化炉５内で発生したタールを粉塵に吸着させることより、改質炉１３に供給される熱分解ガス中のタール濃度を下げることができる。その結果、改質炉１３に供給される熱分解ガスのタール濃度が低いので、改質炉１３における熱分解ガスの滞留時間を短くでき、改質炉１３を大型化せずに、システム全体として改質ガスのタール濃度を下げることができる。また、改質炉１３に供給される熱分解ガスのタール濃度が低いことから、熱分解ガスの部分燃焼による損失を低減できる。
【００３０】
なお、上記実施形態は、熱回収ボイラ１７とバグフィルタ２３の粉塵をガス化炉５に供給しているが、熱回収ボイラ１７とバグフィルタ２３のいずれか一方の粉塵をガス化炉５に供給してもよい。
【００３１】
表１に、本発明の実施例と比較例を示す。実施例は、ごみ１ｔあたりバグフィルタ２３で捕集した粉塵１５ｋｇを、ガス化炉５に供給した場合の、改質炉１３に供給される熱分解ガスのタール濃度である。比較例は、ガス化炉５に粉塵を供給しない場合の改質炉１３に供給される熱分解ガスのタール濃度である。
【００３２】
【表１】
2009240888.tif 000003
表１の実施例に示すように、粉塵をガス化炉５に供給することにより、改質炉１３に供給される熱分解ガスのタール濃度を大幅に下げることができる。
【００３３】
なお、粉塵の投入量は、廃棄物１ｔあたり、例えば、１０ｋｇ〜４０ｋｇが好ましい。
（実施形態２）
図２に本発明の実施形態２の主要部の構成図を示す。本実施形態２は、実施形態１に適用する熱分解残渣処理設備である。熱分解残渣から熱分解カーボン及び微粉状の不燃物を、例えば、篩が取り付けられた分別手段５１で分別し、分別された不燃成分を含む熱分解カーボンを燃焼溶融炉５３で、例えば、１３００℃で燃焼し、燃焼溶融炉５３から排出される排ガスを、水を供給して排ガスを冷却する間接式のガス冷却塔５５で冷却し、ガス冷却塔５５で捕集された飛灰をガス化炉に供給する供給手段としての飛灰排出管５７に導いている。ガス冷却塔５５から排出された排ガスは、図示しない周知の排ガス処理設備で処理されて排出されるようになっている。
【００３４】
次に本実施形態の特徴作用を説明する。燃焼溶融炉５３から排出される排ガスは飛灰を含むことがあり、排ガスが導入されるガス冷却塔５５で飛灰が捕集される。この飛灰を排出管５７を介して、例えば、気流搬送して実施形態１の粉塵供給管に合流させることで飛灰をガス化炉に供給でき、飛灰にタールを吸着させることができる。タールが吸着した飛灰は、熱分解残渣とともに排出され、分別手段で分別された後に、燃焼溶融炉５３で燃焼処理される。タールが吸着した飛灰が熱分解ガスに同伴された場合は、改質炉でタールが熱分解される。
【００３５】
本実施形態によれば、ガス冷却塔５５で捕集された飛灰をガス化炉に供給し、ガス化炉内のタールを吸着させることより、改質炉に供給される熱分解ガスのタール濃度を下げることができ、例えば、ガス化炉に供給する粉塵が不足する場合、その不足分を補うことができる。
【図面の簡単な説明】
【００３６】
【図１】本発明の実施形態１の廃棄物ガス化処理システムの全体構成図である。
【図２】本発明の実施形態２の主要部の構成図である。
【符号の説明】
【００３７】
１  乾燥器
５  ガス化炉
１３  改質炉
１７  熱回収ボイラ
２３  バグフィルタ
３３  ガスエンジン
４５  粉塵排出管
４７  粉塵排出管
４９  粉塵供給管
５１  分別手段
５３  燃焼溶融炉
５５  ガス冷却塔
５７  飛灰排出管
【図１】
2009240888.tif 000004
【図２】
2009240888.tif 000005